【事件の表示】
　平成　４年特許願第　７９４６２号「データ処理装置及びデータ処理方法」拒絶査定に対する審判事件［平成　５年１０月２９日出願公開、特開平　５−２８２３０１号、請求項の数６］について、次のとおり審決する。
【結　論】
　本件審判の請求は、成り立たない。
【理　由】
１.手続の経緯・本願発明
　本願は、平成４年４月１日に出願されたものであって、その請求項１に係る発明（以下「本願発明」という）は、平成１０年９月１日付け、及び平成１１年５月２４日付け手続補正書で補正された明細書及び図面の記載からみて、特許請求の範囲の請求項１に記載された次のとおりのものである。
「罫線を表示する表示手段と、罫線データを入力する入力手段と、前記入力手段より入力される罫線データを記憶する罫線データ記憶手段と、前記罫線データ記憶手段に記憶された罫線データに基づいて、前記表示手段に罫線を表示させる表示制御手段と、を有するデータ処理装置であって、前記表示手段に表示された二つの罫線の接続部分に丸みを設定する丸み設定手段と、前記表示手段に表示された罫線に対して指示を行う指示手段と、前記丸み設定手段による丸み設定後、前記指示手段により丸み接続された二つの罫線の一方が操作されて接続が解除されると、罫線を元の直線に戻す制御手段と、を有することを特徴とするデータ処理装置。」
２．引用刊行物
　これに対して、原査定の拒絶の理由で引用した特開昭６３−１４４３９４号公報（昭和６３年６月１６日出願公開。以下「引用例１」という。）には、
ａ.「従来は、罫線パターンとして直線的なパターンしか表示できなかったので、分岐点や屈折点においては、Ｔ字状やＬ字状に角張った表示しかできず、曲線状に丸めたパターンを表示することは不可能であった」第１頁右下欄１５行ないし１９行）ことを「発明が解決しようとする問題点」とし、
ｂ．「表示手段と、該表示手段に表示された罫線パターンを指示する指示手段と、丸め処理を指令するための指令手段と、丸め罫線基本パターンを記憶した記憶手段とを備え、前記指令手段に応じて、前記指示手段にて指示された罫線パターンの方向成分を判定し、上下の少なくとも一方と左右の少なくとも一方の方向成分が存在する場合、前記指示された罫線パターンの方向成分に基づいて、前記記憶手段から対応する丸め基本罫線パターンを読出し、該パターンまたは該パターンを合成した丸め罫線パターンを出力し、出力された丸め罫線パターンを前記指示された罫線パターンに代えて表示装置に表示するようにした」（第２頁左上欄１行ないし１３行）罫線表示方式を「問題点を解決するための手段」とし、具体的には、
ｃ．「第１図は、本発明の実施例の構成を示すブロック図であり、（１）はキーボード、（２）はキー入力制御部、（３）はカーソル制御部、（４）は作成すべき罫線の方向を検出する方向検出部、（５）は作成すべき罫線の種類を検出する線種検出部、（６）は罫線コードの第１作成部（７）及び罫線コード第２作成部（８）よりなる罫線コード作成部、（９）は罫線コード及び文字コードを記憶するコードメモリ、（１０）はコードメモリ（９）から読出した罫線コードに対応する罫線パターンを作成する罫線パターン出力部、（１１）はビデオＲＡＭ（１２）を含んで構成される表示制御部、（１３）はディスプレイ、（１４）及び（１５）はＯＲ論理部である」（第２頁右上欄７行ないし１９行）こと、
ｄ．「キーボード（１）の罫線キー、テンキー、カーソルキーを用いて、罫線の作成を指示すると、罫線コード第１作成部（７）が動作し、罫線方向及び線種と、コードメモリ（９）のカーソル位置及びその周辺に対応する罫線コードに基づいて、新たな罫線コードを作成し、この作成した罫線コードをコードメモリ（９）に書込んで行く。この場合、コードメモリ（９）に記憶される罫線コードの丸め情報は、全て「０」である。読出判定部（１６）は、カーソルで指定されたアドレスの罫線コードを、コードメモリ（９）から読出し、その丸め情報が「０」のときは、罫線パターン第１作成部（１７）を起動するので、この第１作成部（１７）で、従来と同様、罫線コードに対応する罫線パターンが作成される。そして、作成された罫線パターンは、ビデオＲＡＭ（１２）のカーソル位置に書込まれ、従って、ディスプレイ（１３）の画面では、作成した罫線が表示される（第２頁右下欄５行ないし第３頁左上欄２行）こと、、
ｅ．「罫線の屈折点での罫線パターンａを、カーソルで指示し、キーボード（１）の丸め指令キーを操作すると、罫線コード第２作成部（８）は、丸め指令に応じて、カーソル位置の罫線コードを読出し、先ず、丸め情報が「１」か「０」か判定する。そして、判定の結果「１」のときは、その丸め情報Ｐを「０」にリセットするが、この場合「０」なので、次に、コード情報ＮＳＥＷに基づいて、罫線パターンの方向成分のうち、上下の少なくとも一方と左右の少なくとも一方が存在するか否か判定し、存在する場合には、この罫線コードの丸め情報Ｐを「１」にセットし、存在しない場合は、「０」のままにしておく。表示された罫線パターンｂやｃでは、左右のいずれか一方又は上下のいずれか一方の方向成分しか存在しないが、罫線パターンａでは、下方向成分と右方向成分が共に存在するので、この罫線コードの丸め情報Ｐは「１」にセットされる」（第３頁左上欄９行ないし右上欄６行）こと、
ｆ．「読出判定部（１６）は、カーソル位置の罫線コードをコードメモリ（９）から読出し、その丸め情報Ｐが「１」のときは、罫線パターン第２作成部（１８）を起動する。この第２作成部（１８）では、入力された罫線コードのコード情報ＮＳＥＷに基づいて、対応する丸め基本罫線パターンが記憶部（１９）から読出され、読出されたパターンが合成されて、カーソル位置の現在の罫線パターンａと同一の方向成分を有する丸め罫線パターンが作成される。そして、作成された丸め罫線パターンは、ビデオＲＡＭ（１２）のカーソル位置に書込まれ、ディスプレイ画面のカーソル位置には、丸め罫線パターンが表示される」（第３頁右上欄７行ないし１９行）こと、とした罫線表示方式が図面と共に記載されている。
　同じく原査定の拒絶の理由で引用した特開昭６１−１４９９９１号公報（昭和６１年７月８日出願公開。以下「引用例２」という。）には、
ｇ．「罫線の複写，移動，削除を行なった場合に、複写，移動，削除を行なう領域の境界部分の罫線に空間が生じたり、不必要な方向の罫線が残ることのないように、罫線の接続処理あるいは、不必要な方向の罫線の丸め処理を自動的に行うワードプロセッサを提供する」（第２頁右上欄１７行ないし左下欄２行）ことを「発明が解決しようとする問題点」とし、
ｈ．「罫線の複写，移動，削除操作を行なう際に罫線の接続状態を判定する罫線接続判定手段と、罫線種を変換する手段を備えたワードプロセッサである」（第２頁左下欄５行ないし８行）ことを「問題点を解決するための手段」とし、
ｉ．「罫線の削除，複写，移動操作を行なった際に、削除，複写，移動を行なう領域の境界部分の罫線の接続状態を調べ、罫線に空間が生じたり、不要な方向の罫線が残ったりすることのないように罫線の接続処理あるいは不要な方向の罫線の丸め処理を行う」（第２頁左下欄１０行ないし１５行）ことを「作用」としたワードプロセッサが図面と共に記載されている。
３．対比
　そこで、本願発明と引用例1に記載された発明とを対比すると、引用例１に記載された発明におけるディスプレイ（１３）は、作成された罫線を表示するものである（上記ｄ参照）から、本願発明における「罫線を表示する表示手段」に相当し
　同じく引用例１に記載された発明は、キーボード（１）の罫線キー、テンキー、カーソルキーを用いて、罫線の作成を指示すると、罫線コード第１作成部（７）が動作し、罫線方向及び線種と、コードメモリ（９）のカーソル位置及びその周辺に対応する罫線コードに基づいて、新たな罫線コードを作成し、この作成した罫線コードをコードメモリ（９）に書込んで行く（上記ｄ参照）ものであるから、そのキーボード（１）及びコードメモリ（９）は、本願発明における「罫線データを入力する入力手段」及び「前記入力手段により入力される罫線データを記憶する罫線データ記憶手段」にそれぞれ相当し、
　同じく引用例１に記載された発明におけるビデオＲＡＭを含んで構成される表示制御部（１１）は、コードメモリ（９）から読出された罫線コードに基づき作成された罫線パターンをディスプレイ（１３）に表示するものである（上記ｄ参照）から、本願発明における「前記罫線データ記憶手段に記憶された罫線データに基づいて、前記表示手段に罫線を表示させる表示制御手段」に相当し、
　同じく引用例１に記載された罫線コード第２作成部（８）は、ディスプレイ（１３）の画面に表示された罫線パターンをカーソルで指示し、キーボード（１）の丸め指令キーを操作すると、コードメモリ（９）のコード情報ＮＳＥＷに基づいて、罫線パターンの方向成分のうち少なくとも一方が存在するか否か判定し存在する場合には、この罫線コードの丸め情報Ｐを「１」にセットし（上記ｅ参照）、罫線パターン第２作成部（１８）は、コードメモリ（９）から入力された罫線コードのコード情報ＮＳＥＷに基づいて、対応する丸め基本罫線パターンを丸め罫線基本パターン記憶部（１９）から読出し、読出されたパターンを合成して、カーソル位置の現在の罫線パターンａと同一の方向成分を有する丸め罫線パターンを作成し、作成された丸め罫線パターンを、ビデオＲＡＭ（１２）のカーソル位置に書込み、ディスプレイ画面のカーソル位置に、丸め罫線パターンを表示するものである（上記ｆ参照）から、罫線コード第２作成部（８）、罫線パターン第２作成部（１８）、及び丸め罫線基本パターン記憶部（１９）は、本願発明における「前記表示手段に表示された二つの罫線の接続部分に丸みを設定する丸み設定手段」に相当し、そして、引用例１に記載された発明と本願発明は、「データ処理装置」であるという点で一致するものであるから、結局、両者は、
「罫線を表示する表示手段と、罫線データを入力する入力手段と、前記入力手段より入力される罫線データを記憶する罫線データ記憶手段と、前記罫線データ記憶手段に記憶された罫線データに基づいて、前記表示手段に罫線を表示させる表示制御手段と、を有するデータ処理装置であって、前記表示手段に表示された二つの罫線の接続部分に丸みを設定する丸み設定手段を有するデータ処理装置」である点で一致し、次の点で相違する。
（相違点）
 本願発明は、「前記表示手段に表示された罫線に対して指示を行う指示手段」と、「前記丸み設定手段による丸み設定後、前記指示手段により丸み接続された二つの罫線の一方が操作されて接続が解除されると、罫線を元の直線に戻す制御手段」を有するのに対して、引用例１に記載された発明は、このような指示手段及び制御手段を有していない点。
４.当審の判断                              
　そこで、上記相違点について検討すると、表示手段に表示された罫線に対して指示を行う指示手段を設け、縦方向罫線と横方向罫線からなる罫線のいずれか一方を前記指示手段により指示してその接続を解除（例えば削除）し、他方の罫線を残すことは、罫線処理において普通に採用されている周知事項である（必要であれば、例えば特開昭６０−６８４７３号公報参照）。本願発明は、丸み接続された二つの罫線の一方が操作されて接続が解除されると、（他方の）罫線を元の直線に戻すようにしているが、引用例１に記載された発明においては、丸みの設定が二つの罫線が存在することを条件に行われており（上記ｅ参照）、罫線の一方が接続の解除により存在しなくなった場合には丸みの設定が不要になることは当業者に容易に予測し得ることであり、また、引用例２には、罫線の削除，複写，移動操作を行なった際に、削除，複写，移動を行なう領域の境界部分の罫線の接続状態を調べ、罫線に空間が生じたり、不要な方向の罫線が残ったりすることのないように罫線の接続処理あるいは不要な方向の罫線の丸め処理を行うことが記載されている（上記ｇ〜ｉ参照）から、二つの罫線の接続が解除されたときに罫線を元の直線に戻す程度のことは当業者が容易に想到し得ることである。
　したがって、引用例１に記載された発明において、「前記表示手段に表示された罫線に対して指示を行う指示手段」と、「前記丸み設定手段による丸み設定後、前記指示手段により丸み接続された二つの罫線の一方が操作されて接続が解除されると、罫線を元の直線に戻す制御手段」を設けるようにすることは、当業者が容易になし得ることである。
　そして、本願発明の構成によりもたらされる効果も引用例から当業者が容易に予測しうる程度のものであり、格別のものではない。
５．むすび
　以上のとおりであるから、本願発明は、引用例１及び引用例２に記載された発明に基づいて当業者が容易に発明をすることができたものと認められるので、特許法第２９条第２項の規定により、特許を受けることができない。
　よって、結論のとおり審決する。